(57)【特許請求の範囲】
【請求項１】
配管の漏洩部を封止して補修するための配管補修具であって、
前記配管に巻き付けられ、前記漏洩部を覆う当接部材を前記配管の外壁面に押し当てる帯状のバンド部材と、
前記バンド部材の長手方向の一方の端部に設けられ、前記バンド部材の長手方向の外側へ突出するボルト部材と、
前記バンド部材の長手方向の他方の端部に設けられ、前記バンド部材の長手方向の外側へ連続して形成され、前記バンド部材より厚肉とされた厚肉部材と、
前記バンド部材が前記配管に巻き付けられた装着状態において、前記厚肉部材から前記配管の半径方向の外側へ張り出し、前記配管の外壁面の接線方向と交差する主面に前記ボルト部材を挿通させる開口部が形成された固定板と、
前記固定板の前記開口部を挟んで両側に配置され、前記厚肉部材に接合されて、前記固定板を支持する一対の支持部材と、を備え、
前記固定板は、前記装着状態において、前記固定板の外方側の端部が内方側の端部より、前記バンド部材の前記一方の端部側へ傾斜していることを特徴とする配管補修具。
【請求項２】
長手方向の端部が前記ボルト部材の基端部と接続されると共に、側面が前記バンド部材の前記一方の端部の外表面に固定された角柱部材を備える請求項１記載の配管補修具。
【請求項３】
配管の漏洩部を封止して補修するための配管補修具であって、
前記配管に巻き付けられ、前記漏洩部を覆う当接部材を前記配管の外壁面に押し当てる帯状のバンド部材と、
前記バンド部材の長手方向の一方の端部に設けられ、前記バンド部材の長手方向の外側へ突出するボルト部材と、
前記バンド部材の長手方向の他方の端部に設けられ、前記バンド部材の長手方向の外側へ連続して形成され、前記バンド部材より厚肉とされた厚肉部材と、
前記バンド部材が前記配管に巻き付けられた装着状態において、前記厚肉部材から前記配管の半径方向の外側へ張り出し、前記配管の外壁面の接線方向と交差する主面に前記ボルト部材を挿通させる開口部が形成された固定板と、
長手方向の端部が前記ボルト部材の基端部と接続されると共に、側面が前記バンド部材の前記一方の端部の外表面に固定された角柱部材と、を備え、
前記固定板は、前記装着状態において、前記固定板の外方側の端部が内方側の端部より、前記バンド部材の前記一方の端部側へ傾斜していることを特徴とする配管補修具。
【発明の詳細な説明】
【技術分野】
【０００１】
本発明は、配管の漏洩部を封止して補修するための配管補修具に関する。
【背景技術】
【０００２】
従来、締結すべき管状、棒状物の外周を囲むバンドを備えた締結具が知られている（例えば、特許文献１参照）。このような締結具では、バンドの長手方向の一方の端部に接続されたボルトが、バンドの長手方向の他方の端部から半径方向の外方に張り出した張出片の開口に挿通されて、締結具の締め付けが行われる。また、配管の外壁面からの漏洩を防止する技術として、バンドと配管の外壁面との間に、漏洩部に当接する当接部材（例えば、板状のゴムなど）を配置し、バンドを締め付けることで、当接部材を漏洩部に押し当てて、配管漏洩を補修する技術が知られている。
【特許文献１】実公昭６１−２８０３号公報
【発明の開示】
【発明が解決しようとする課題】
【０００３】
しかしながら、上記特許文献１に記載の技術では、ボルトを挿通させる張出片が、配管の外壁面と直交する方向に立設され、締結具の締結状態において、張出片の開口に挿通されたボルトの軸線方向と、ボルトの基端部に接続されたバンド部分の長手方向とが異なり、ボルトの引っ張り力が効率良くバンドに伝達されず、当接部材を配管の外壁面に押し付ける力が不足するという問題がある。また、この当接部材を押し付けるための力を増加させるためには、ボルトに作用する引張力を増加させる必要が有り、この場合には、ボルト基端部と、バンドとの接続部である屈曲部において、応力集中が起こり、接続部が破断するおそれがある。
【０００４】
本発明は、このような課題を解決するために成されたものであり、配管の周方向において、バンド部材と配管外壁面との接触領域を確保しつつ、バンド部材による締め付け力の向上を図った配管補修具を提供することを目的とする。
【課題を解決するための手段】
【０００５】
上記課題を解決するため、配管の漏洩部を封止して補修するための配管補修具であって、配管に巻き付けられ、漏洩部を覆う当接部材を配管の外壁面に押し当てる帯状のバンド部材と、バンド部材の長手方向の一方の端部に設けられ、バンド部材の長手方向の外側へ突出するボルト部材と、バンド部材の長手方向の他方の端部に設けられ、バンド部材の長手方向の外側へ連続して形成され、バンド部材より厚肉とされた厚肉部材と、厚肉部材から配管と離間する方向へ張り出すと共に、配管の外壁面の接線方向と交差する主面に、ボルト部材を挿通させる開口部が形成された固定板と、を備え、バンド部材が配管に巻き付けられた状態において、固定板は、その外方側の端部が内方側の端部より、バンド部材の一方の端部側へ傾斜していることを特徴としている。
【０００６】
この配管補修具によれば、配管に巻き付けられるバンド部材の長手方向の一方の端部にボルト部材が設けられ、バンド部材の長手方向の他方の端部にボルト部材を挿通させる開口部が形成された固定板が設けられている。バンド部材が配管に巻き付けられた状態において、固定板の外方側の端部が内方側の端部より、バンド部材の一方の端部側へ傾斜している。そのため、ボルト部材を固定板の開口部に挿通させ、ナットを用いて固定することで、ボルト部材の軸線方向に引張力を付与することができる。その結果、配管の周方向において、バンド部材と配管外壁面との接触領域を確保しつつ、バンド部材による締め付け力を向上させることができる。
【０００７】
また、固定板の開口部を挟んで両側に配置され、厚肉部材に接合されて、固定板を支持する一対の支持部材を備える構成が好ましい。これにより、厚肉部材に対して傾斜して配置された固定板を、開口部を挟んで両側に配置された支持部材によって支持することで、簡素な構成で固定板を強固に支持することができ、ボルト部材に作用する引張力を増大させて、バンド部材による締め付け力を向上させることができる。
【０００８】
また、長手方向の端部がボルト部材の基端部と接続されると共に、側面がバンド部材の一方の端部の外表面に固定された角柱部材を備える構成としてもよい。これにより、ボルト部材が角柱部材を介して、バンド部材に強固に支持され、ボルト部材に作用する引張力を増大させて、バンド部材による締め付け力を向上させることができる。
【発明の効果】
【０００９】
本発明によれば、配管の周方向において、バンド部材と配管の外壁面との接触領域を確保しつつ、バンド部材による締め付け力を向上させることが可能となる。
【発明を実施するための最良の形態】
【００１０】
以下、添付図面を参照して、本発明の好適な実施形態について詳細に説明する。なお、各図において同一又は相当要素には同一符号を付し、重複する説明は省略する。
【００１１】
図１は本発明の実施形態に係る配管補修具を示す斜視図、図２は図１の配管補修具の他の斜視図、図３は図１の配管補修具の断面図、図４は図３のＩＶ−ＩＶ矢視図である。図１〜３に示すように、配管補修具１は、配管２０の外部漏洩を補修するものであり、配管２０の開口部である漏洩部Ｐに、この漏洩部Ｐを外面から覆うゴム板（当接部材）２１を押し当てることで、漏洩部Ｐを封止して外部漏洩を補修するものである。この配管補修具１は、バンド部材２、ボルト部材３、厚肉部材４、固定板５を備えている。また、配管補修具１の材質としては、ステンレス鋼（例えばＳＵＳ３０４）が好ましい。
【００１２】
バンド部材２は、長尺板状（帯状）を成し、配管２０の外周面（外壁面）２０ａに巻き付けられ、ゴム板２１を漏洩部Ｐに押し当てるものである。ゴム板２１は、アメゴム、天然ゴム又はＮＢＲ等のゴムにより形成されている。なお、ここでは、漏洩部Ｐのシール性を高めるため、ゴム板２１と外周面２０ａとの間に、シリコーン材が塗布されている。
【００１３】
ボルト部材３は、バンド部材２の長手方向の一方の端部２ａに設けられ、バンド部材２の長手方向の外側へ突出して設けられている。ボルト部材３の基端部３ａには、角柱部材６が溶接され、角柱部材６の側面が、バンド部材２の一方の端部２ａの外表面に溶接されている。そして、ボルト部材３及び角柱部材６は、互いの軸線Ｌ３、Ｌ６を同一方向として配置されている。
【００１４】
また、バンド部材２の一方の端部２ａの内面には、角柱状の補強部材７が溶接されている。この補強部材７は、バンド部材２の長手方向と交差する幅方向に沿って配置され、バンド部材２の幅と略同じ長さとされている。
【００１５】
厚肉部材４は、バンド部材２より厚い板厚を有し、バンド部材２の長手方向の他方の端部２ｂから、バンド部材２の長手方向の外側へ連続して形成されている。具体的には、厚肉部材４及びバンド部材２は、長手方向の端部同士が溶接によって接合されている。
【００１６】
固定板５は、平板状を成し、バンド部材２が配管２０に巻き付けられた配管補修具１の装着状態において、厚肉部材４から配管２０の半径方向の外側へ張り出すよう形成されている。固定板５には、ボルト部材３を挿通させるための開口部５ａ（図３参照）が形成されている。そして、固定板５は、厚肉部材４の外表面４ａに溶接され、配管補修具１の装着状態において、配管２０の外周面２０ａの接線方向と交差して配置され（ボルト部材３の軸線Ｌ３と直交し）、固定板５の外方側の端部５ｂが内方側の端部５ｃより、バンド部材２の一方の端部２ａ側へ傾斜している。すなわち、配管２０の外周面２０ａの接線方向と交差する主面に開口部５ａが形成されている。
【００１７】
また、固定板５は、開口部５ａを挟んで両側（バンド部材の幅方向の両側）に配置された一対の支持部材８によって支持されている。支持部材８は、厚肉部材４の長手方向に沿って延在する両端部に配置されて、厚肉部材４の外表面４ａに溶接されている。すなわち、支持部材８には、厚肉部材４の外表面４ａに接合される底辺８ａ、この底辺８ａと傾斜角θを有して交差する斜辺８ｂが形成され、厚肉部材４と固定板５との間の傾斜角θを保持している。
【００１８】
次に、本実施形態に係る配管補修具を用いた配管補修について説明する。図１及び図２に示す配管２０は、例えば、プラントに敷設された消火配管であり、漏洩部Ｐが存在するため、補修が必要な配管である。
【００１９】
まず、漏洩部Ｐを配管２０の外周面２０ａから覆うようにゴム板２１を配置する。次に、配管補修具１を準備して、バンド部材２を配管２０の外周面２０ａに巻き付けて、ゴム板２１を外方から保持する。すなわち、漏洩部Ｐを覆うゴム板２１は、配管２０の外周面２０ａとバンド部材２とに挟まれた状態となる。続いて、バンド部材２の一方の端部２ａ側に形成されたボルト部材３を、他方の端部２ｂ側に設けられた固定板５の開口部５ａに挿通する。
【００２０】
そして、固定板５から外方に突出したボルト部材３にナット９を螺合させる。ここで、ナット９を締め付け、ナット９の端面を固定板５の外面に当接させて、ボルト部材３に、配管２０の外周面２０ａの接線方向Ｌ３の引っ張り力Ｐを付与することができる。このようにして、ボルト部材３に連結するバンド部材２を締め付けることで、ゴム板２１を配管２０の外周面２０ａに押し当てて、漏洩部Ｐを封止して配管補修を行う。また、この配管補修具１の締め付け状態において、バンド部材２は、配管２０の外周面２０ａの周方向の略全周に亘り（ゴム板２１が配置された部分を除く）、外周面２０ａに当接している。
【００２１】
この配管補修具１によれば、配管２０に巻き付けられるバンド部材２の長手方向の一方の端部２ａにボルト部材３が設けられ、バンド部材２の長手方向の他方の端部２ｂにボルト部材３を挿通させる開口部５ａが形成された固定板５が設けられている。バンド部材２が配管２０に巻き付けられた状態において、固定板５の外方側の端部５ｂが、内方側の端部５ｃよりバンド部材２の一方の端部２ａ側（ボルト部材３の基端部３ａ側）へ傾斜しているため、ボルト部材３を固定板５の開口部５ａに挿通させ、ナット６を用いて固定することで、ボルト部材３の軸線方向Ｌ３に引張力を付与することができる。その結果、配管２０の周方向においてバンド部材２と配管２０の外周面２０ａとの接触領域を確保しつつ、バンド部材２による締め付け力を向上させることができる。
【００２２】
また、配管補修具１では、周方向の略全周に亘り、配管２０とバンド部材２とが当接しているため、複数の配管が隣接して配置されている場合であっても、配管補修具１を用いた補修を行うことができる。すなわち、漏洩部Ｐが周方向のどの位置にある場合であっても、隣接する配管同士の間隔が狭い場合であっても、隣接する他の配管に干渉されることなく、配管補修具１を用いた補修を行うことができる。
【００２３】
また、配管補修具１は、固定板５の開口部５ａを挟んで両側に配置され、厚肉部材４に接合されて、固定板５を支持する一対の支持部材８を備える構成であるため、簡素な構成で固定板５を強固に支持することができ、ボルト部材３に作用する引張力を増大させて、バンド部材２による締め付け力を向上させることができる。すなわち、バンド部材２の締め付け力を増大させた場合であっても、固定板５の折損等の不具合を防止することができる。
【００２４】
また、固定板５がバンド部材２より板厚が厚い厚肉部材４に溶接されているため、厚肉部材４に対して傾斜して配置された固定板５を安定して接合させることができ、固定板５の折損を防止して、配管補修具１の信頼性が向上されている。
【００２５】
また、長手方向の端部がボルト部材３の基端部３ａと接続されると共に、側面がバンド部材２の一方の端部２ａの外表面に固定された角柱部材６を備えているため、ボルト部材３が角柱部材６を介して、バンド部材２に強固に接合され、ボルト部材３に作用する引張力を増大させて、バンド部材２による締め付け力を向上させることができる。
【００２６】
以上、本発明をその実施形態に基づき具体的に説明したが、本発明は、上記実施形態に限定されるものではない。例えば、図５に示すように、ボルト部材３の軸線Ｌ３、角柱部材６の軸線Ｌ６は、同一方向に配置されていなくてもよく、例えば図５に示すように、角柱部材の軸線Ｌ６が、ボルト部材３の基端部３ａから内方側へ傾斜している構成としてもよい。
【図面の簡単な説明】
【００２７】
【図１】本発明の実施形態に係る配管補修具を示す斜視図である。
【図２】図１の配管補修具の他の斜視図である。
【図３】図１の配管補修具の断面図である。
【図４】図３のＩＶ−ＩＶ矢視図である。
【図５】本発明の実施形態に係る配管補修具の変形例を示す斜視図である。
【符号の説明】
【００２８】
１…配管補修具、２…バンド部材、２ａ…一方の端部、２ｂ…他方の端部、３…ボルト部材、４…厚肉部材、５…固定板、５ａ…開口部、５ｂ…外方側の端部、５ｃ…内方側の端部、６…角柱部材、８…支持部材、２０…配管、２０ａ…外周面（外壁面）、２１…ゴム板（当接部材）、Ｐ…漏洩部、Ｌ３…ボルト部材３の軸線方向（配管の外周面の接線方向）。
【図１】
0005135041.tif 000002
【図２】
0005135041.tif 000003
【図３】
0005135041.tif 000004
【図４】
0005135041.tif 000005
【図５】
0005135041.tif 000006